(57)【要約】      （修正有）【課題】フィルタ押さえを不要にすることにより、フィルタ押さえの脱落の懸念をなくし、部材数も減らす検査薬容器を提供する。【解決手段】検査薬を保持する検査薬保持部１と、キャップ５が装着されるキャップ装着部２を有する容器本体３と、キャップ本体部５２とノズル５３を有するキャップ５からなる検査薬容器であって、検査薬保持部１の端部１１とキャップ装着部２は、端部１１の上面が段部１２となるように連結され、キャップ本体部５２の内側には、フィルタ６を収納する筒状のフィルタ収納部５１があり、フィルタ収納部５１の筒状の外側側面は、キャップ５が容器本体３に装着されたとき、キャップ装着部２の内側側面と密着し、フィルタ６は、キャップ５が容器本体３に装着されたとき、段部１２により支持される検査薬容器。【選択図】図１
2020112362.tif 000002
【特許請求の範囲】
【請求項１】
検査薬を保持する検査薬保持部（１）と、キャップ（５）が装着されるキャップ装着部（２）を有する容器本体（３）と、
キャップ本体部（５２）とノズル（５３）を有するキャップ（５）からなる検査薬容器であって、
検査薬保持部（１）の端部（１１）とキャップ装着部（２）は、端部（１１）の上面が段部（１２）となるように連結され、
キャップ本体部（５２）の内側には、フィルタ（６）を収納する筒状のフィルタ収納部（５１）があり、
フィルタ収納部（５１）の筒状の外側側面は、キャップ（５）が容器本体（３）に装着されたとき、キャップ装着部（２）の内側側面と密着し、
フィルタ（６）は、キャップ（５）が容器本体（３）に装着されたとき、段部（１２）により支持される検査薬容器。
【請求項２】
検査薬を保持する検査薬保持部（１）と、キャップ（５）が装着されるキャップ装着部（２）を有する容器本体（３）と、
キャップ本体部（５２）とノズル（５３）を有するキャップ（５）からなる検査薬容器であって、
検査薬保持部（１）の端部（１１）とキャップ装着部（２）は、端部（１１）の上面が段部（１２）となるように連結され、
キャップ本体部（５２）の内側には、フィルタ（６）を収納する筒状のフィルタ収納部（５１）があり、
フィルタ収納部（５１）の筒状の外側側面は、キャップ（５）が容器本体（３）に装着されたとき、キャップ装着部（２）の内側側面と密着し、
段部（１２）は、突起（１３）を有し、フィルタ（６）は、キャップ（５）が容器本体（３）に装着されたとき、突起（１３）により支持される検査薬容器。
【発明の詳細な説明】
【技術分野】
【０００１】
この発明は、患者が感染症にかかっているかどうかを検出するための検査薬容器に関するものである。
【背景技術】
【０００２】
ウイルスまたは細菌のような病原体の感染などを、短時間で検出することのできる簡易の検査試験が開発されている。
このような検査試験を行うためには、例えば、患者から採取した分泌物などの一部を、検体検出試薬のいった検査薬容器中で調製し、異物を除去するためにフィルタを有した蓋を容器に装着することが行われる。このような試験容器の例が、特開２０１２−１５００５８（特許文献１）や特開２００８−１２２３７２（特許文献２）に開示されている。
【０００３】
特許文献２では、フィルタとして焼結フィルタのような強剛性フィルタが用いられているため、作業時などにフィルタが蓋から脱落するということは、ほとんどないが、そうでない場合、特許文献１の図２に開示されているように、検査薬容器に装着される蓋は、フィルタが、蓋から脱落しないようにフィルタ押さえが必要である。
【先行技術文献】
【特許文献】
【０００４】
【特許文献１】特開２０１２−１５００５８号公報
【特許文献２】特開２００８−１２２３７２号公報
【発明の概要】
【発明が解決しようとする課題】
【０００５】
しかし、従来の検査薬容器は、検査薬容器の抽出液の滴下を繰り返しているうちに、フィルタ押さえが、脱落する懸念があった。本発明は、文献２のようなフィルタが特殊なフィルタでなくともフィルタ押さえを不要にすることにより、フィルタ押さえの脱落の懸念をなくし、部材数も減らすものである。
【課題を解決するための手段】
【０００６】
即ち、本発明は、
（１）検査薬を保持する検査薬保持部１と、キャップ５が装着されるキャップ装着部２を有する容器本体３と、キャップ本体部５２とノズル５３を有するキャップ５からなる検査薬容器であって、検査薬保持部１の端部１１とキャップ装着部２は、端部１１の上面が段部１２となるように連結され、キャップ本体部５２の内側には、フィルタ６を収納する筒状のフィルタ収納部５１があり、フィルタ収納部５１の筒状の外側側面は、キャップ５が容器本体３に装着されたとき、キャップ装着部２の内側側面と密着し、フィルタ６は、キャップ５が容器本体３に装着されたとき、段部１２により支持される検査薬容器、
（２）検査薬を保持する検査薬保持部１と、キャップ５が装着されるキャップ装着部２を有する容器本体３と、キャップ本体部５２とノズル５３を有するキャップ５からなる検査薬容器であって、検査薬保持部１の端部１１とキャップ装着部２は、端部１１の上面が段部１２となるように連結され、キャップ本体部５２の内側には、フィルタ６を収納する筒状のフィルタ収納部５１があり、フィルタ収納部５１の筒状の外側側面は、キャップ５が容器本体３に装着されたとき、キャップ装着部２の内側側面と密着し、段部１２は、突起１３を有し、フィルタ６は、キャップ５が容器本体３に装着されたとき、突起１３により支持される検査薬容器、
である。
【発明の効果】
【０００７】
本発明によれば、フィルタ押さえを不要にすることにより、フィルタ押さえの脱落の懸念をなくし、部材数も減らす検査薬容器を提供できる。
【図面の簡単な説明】
【０００８】
【図１】本発明の一実施形態の検査薬容器とキャップの長手方向のキャップ装着前の断面図である。
【図２】本発明の一実施形態の検査薬容器とキャップの長手方向のキャップ装着後の断面図である。
【発明を実施するための形態】
【０００９】
以下、図面を参照しながら、本発明について説明する。
図１は、一実施形態の容器本体３とキャップ５のキャップ装着前の長手方向の断面図である。図２は、一実施形態の容器本体３とキャップ５のキャップ装着後の長手方向の断面図である。
容器本体３は、検査薬保持部１とキャップ装着部２を有し、合成樹脂にからなり一体成型されている。
検査薬保持部１は、有底筒状で、検査薬４を中に有している。開放端である端部１１の外側の側面は、筒状のキャップ装着部２の内側の側面の一部と連結している。検査薬保持部１の端部１１の上面は、外側が、端部１１に連結していないキャップ装着部２の残部が壁２１となり、段部１２を形成している。段部１２の幅は、後述するキャップ５の筒状のフィルタ収納部５１の下面とフィルタ６の周縁を支持できればよく、通常、１．０ミリメートルから６．０ミリメートルである。こうすることにより、キャップ５が、容器本体５に装着されたとき、フィルタ６は、段部１２又は後述する段部１２にある突起１３に支持され、検査薬保持部１への落下を防ぐことができる。
段部１２の壁２１の高さは、検査薬を封止する観点からフィルタ収納部５１の筒状の長さと同程度になるように設計されるのが好ましい。その高さは、通常、２ミリメートルから１０ミリメートルである。
キャップ装着部２の外側の側面には、キャップ５を装着するためのねじ山がある。
【００１０】
段部１２の壁２１となる容器本体３のキャップ装着部２の内側側面は、キャップ５が、容器本体３に装着されたとき、フィルタ収納部５１の筒状の外側側面に、密着するように設計される
また、段部１２で囲まれる検査薬の通用口は、フィルタ収納部５１の筒状の内側のフィルタの検査薬の濾過口より適度に小さくなるように設計され、容器本体３の検査薬保持部１が円筒状の場合、段部１２で囲まれる部分の内径は、通常、５ミリメートルから１５ミリメートル、フィルタ収納部５１の円筒状の内径は、通常、７ミリメートルから１８ミリメートルである。そうすることにより、フィルタ収納部５１にあるフィルタ６は容器本体３の検査薬保持部１への脱落を防ぐことができる。
【００１１】
本実施態様では、段部１２には、突起１３があるが、なくてもいい。しかし、キャップ５のフィルタ収納部５１の筒状の長さは、フィルタ性能の向上のためには、フィルタ６より厚いほうが好ましいため、この場合、キャップ５の容器本体３への装着時、突起１３がないと、フィルタ６がフィルタ収納部５１内でずれる可能性があり、フィルタ６を確実にフィルタ収納部５１に固定し、ずれを防止するには突起１３は、あったほうが好ましい。突起１３の長手方向の長さは、フィルタ収納部５１がフィルタ６をフィルタ収納部５１のキャンプ本体５２の連結末端までフィルタを収納後、余った筒状の長さと同じ程度に設計されるのが好ましい。こうすることにより、突起１３は、フィルタ６のずれ、フィルタ収納部からの脱落を防ぐことができる。通常その長さは１ミリメートルから５ミリメートルである。また、突起１３の厚みは、突起１３の厚さとフィルタ収納部の筒の厚さの和が段部１２の幅の長さになるようにするのが好ましく、通常０．５ミリメートルから３ミリメートルである。
【００１２】
突起１３は、段部１２の全周にわたって存在してもいいが、例えば、矩形状の突起１３の２つが対面するように等間隔をおいて４つ存在すれば、フィルタを十分保持することが可能である。突起の形状、個数は、フィルタが保持できればよく、特に限定はしない。
キャップ５のフィルタ収納部５１の筒状の長さが、フィルタより厚く、突起１３が存在する場合、突起１３とキャップ装着部２の間の溝１４が、フィルタ６を保持している筒状のフィルタ保持部５１のフィルタ収納後、余った筒状の端部を受ける。
【００１３】
容器本体は、検査前は、開放端はシール部材によりシールされており、検査時にシール部材がはがされ、検体抽出後、キャップ５が装着される。
キャップ５は、容器本体３のキャップ装着部２に装着されるキャップ本体部５２とノズル５３を有する。キャップ本体部５２とノズル５３は、合成樹脂からなり一体成型されている。ノズル５３の一端は、滴下口である第１の開口５４であり、他端は、キャップ本体部５２と連結し、フィルタ６で濾過された検査薬が通過する第２の開口５５を形成している。キャップ本体５２の内側の側面には、容器本体３のキャップ装着部２に螺合するようにねじが切ってある。キャップ本体部５２の内側には、フィルタ６を収納する筒状のフィルタ収納部５１がある。
【００１４】
フィルタ収納部５１は、キャップ本体５２の内側の下向き面に連結し、第２の開口５５を囲んでいる。フィルタ収納部５１の筒状の長さは、フィルタより厚いほうが好ましく、フィルタを収納した後、端部が、検査薬容器３の溝１４におさまるように設計されるのが好ましい。フィルタ保持部５１の筒状の長さは２ミリメートルから１０ミリメートル、フィルタ収納後の残り端部の長さは０．５ミリメートルから３ミリメートルが望ましい。
【００１５】
各部材の材質としては、容器本体３は、例えば、ポリ塩化ビニル、低密度ポリエチレン、ポリプロピレン、熱可塑性エラストマー、及びシリコーンのような、綿棒を中に入れ外からしごくことができる程度の柔らかさを持つ樹脂でできている。
キャップ５は、例えば、高密度ポリエチレン、ポリプロピレン、アクリロニトリル／ブタジエン／スチレン共重合樹脂、ポリカーボネート、及びポリエチレンテレフタレートのような、容器本体３よりも幾分硬い樹脂でできている。
フィルタ６は、例えば、繊維やスポンジ状の樹脂やガラス等でできている。
【符号の説明】
【００１６】
１  検査薬保持部
１１  端部
１２  段部
１３  突起
１４  溝
２  キャップ装着部
２１  壁
３  容器本体
４  検査薬
５  キャップ
５１  フィルタ収納部
５２  キャップ本体部
５３  ノズル
５４  第１の開口
５５  第２の開口
６    フィルタ
【図１】
2020112362.tif 000003
【図２】
2020112362.tif 000004